(57)【要約】【課題】 バルブディスクの回転角度によって１液と２液を適正量混合して流出できるように形成して、これを通じて水(１液)と空気(２液)または水(１液)と薬品類(２液)などを混合排出するようにした２液混合型流量調節弁構造を提供する。【解決手段】  複数個の１液流出孔が形成されている固定ディスクと、前記１液流出孔を選択的に開放させるための１液バルブホールが外周縁に切り欠き形成されているバルブディスクと、を含む流量調節弁構造であって、前記固定ディスクの中心部に互いに対向するように２液流出孔を形成し、前記バルブディスクの前記１液バルブホールの内側には、前記２液流出孔を選択的に開放するための２液バルブホールを半円弧状に形成する。  【選択図】  図２
2006170429.tif 000002
【特許請求の範囲】
【請求項１】
複数個の１液流出孔が形成されている固定ディスクと、前記１液流出孔を選択的に開放させるための１液バルブホールが外周縁に切り欠き形成されているバルブディスクと、を含む流量調節弁構造であって、
前記固定ディスクの中心部に互いに対向するように２液流出孔を形成し、前記バルブディスクの前記１液バルブホールの内側には、前記２液流出孔を選択的に開放するための２液バルブホールを半円弧状に形成したこと
を特徴とする２液混合型流量調節弁構造。
【請求項２】
前記２液流出孔は、円弧状に切開形成したこと
を特徴とする請求項１に記載の２液混合型流量調節弁構造。
【請求項３】
前記２液バルブホールの長さが、前記２液流出孔の長さより長くなるように形成されており、前記バルブディスクが任意の位置に存在する際に、前記２液バルブホールの少なくとも一端が、互いに対向している２液流出孔の少なくとも一部を開放させることができるようにしたこと
を特徴とする請求項１に記載の２液混合型流量調節弁構造。
【発明の詳細な説明】
【技術分野】
【０００１】
本発明は、２液混合型流量調節弁構造に関し、特に、バルブディスクの回転角度によって１液と２液が適正量混合されて流出されるように形成して、これを通じて水(１液)と空気(２液)または水(１液)と薬品類(２液)などを混合排出できるようにした２液混合型流量調節弁構造に関する。
【背景技術】
【０００２】
温水洗浄機にはビデ洗浄ノズル及び肛門洗浄ノズルに供給される水の流量を調節するための流量調節弁が設置されている。
【０００３】
図１Ａ〜図１Ｃは、従来の温水洗浄機の流量調節弁構造を示す図である。
【０００４】
図１Ａ〜図１Ｃに示したように、固定ディスク１上には複数個の１液流出孔２、３、４が形成されており、固定ディスク１の上側に取り付けられて回転するバルブディスク５には、複数個の１液流出孔２、３、４を選択的に開放させるための１液バルブホール６が外周縁に切り欠き形成されている。また、固定ディスク１の外郭にはバルブディスク５の回転角度を確認できるようにするためのストッパ７が形成されている。
【０００５】
かかる従来の流量調節弁構造は、バルブディスク５の回転角度によって１液バルブホール６が複数個の１液流出孔２、３、４を選択的に開放させることにより、ビデ洗浄ノズルまたは肛門洗浄ノズルに供給される流量を調節する。
【０００６】
しかし、従来の流量調節弁構造は、水以外の他の流体、即ち、水を１液と仮定する場合、空気または薬品類のような２液を同時に供給することができない問題点があった。
【０００７】
最近、ビデの機能が徐々に多様化されており、１液(水)と２液(空気または薬品類)とを混合する機能が必要となっているが、従来の流量調節弁構造は、上述のように１液と２液を混合する機能を有していない。このため、流量調節弁の後端部に別の連結口を形成して２液を投入する構造が提案されているが、このような構造は、流路構造が複雑になって生産及び設計が難しくなり、ビデが大型化されて製品の品質及びデザインが低下するという問題が発生する。
【発明の開示】
【発明が解決しようとする課題】
【０００８】
本発明は、上述したような従来技術の問題点を解決するためになされたもので、その目的は、バルブディスクの回転角度によって１液と２液を適正量混合して流出できるように形成することにより、水(１液)と空気(２液)または水(１液)と薬品類(２液)などを混合排出できるようにした２液混合型流量調節弁構造を提供することにある。
【課題を解決するための手段】
【０００９】
前記目的を達成するために本発明は、複数個の１液流出孔が形成されている固定ディスクと、前記１液流出孔を選択的に開放させるための１液バルブホールが外周縁に切り欠き形成されているバルブディスクと、を含む流量調節弁構造であって、前記固定ディスクの中心部に互いに対向するように２液流出孔を形成し、前記バルブディスクの１液バルブホールの内側には、前記２液流出孔を選択的に開放するための２液バルブホールを半円弧状に形成する。
【００１０】
好ましくは、 前記２液流出孔は、円弧状に切開形成される。
【００１１】
好ましくは、 前記２液バルブホールの長さが、前記２液流出孔の長さより長くなるように形成されており、前記バルブディスクが任意の位置に存在する際に、前記２液バルブホールの少なくとも一端が、互いに対向している２液流出孔の少なくとも一部を開放させることができるようにする。
【発明の効果】
【００１２】
本発明によれば、水(１液)と空気(２液)または水(１液)と薬品類(２液)などを混合排出するようにした２液混合型流量調節弁構造が提供できる。
【発明を実施するための最良の形態】
【００１３】
以下、添付図面を参照しながら、本発明の好適な実施の形態について詳細に説明する。なお、本明細書及び図面において、図１Ａ〜図１Ｃに示される従来の流量調節弁と実質的に同一の機能を有する部分については、同一の符号を付することにより、その説明を省略する。
【００１４】
図２は、本発明による２液混合型流量調節弁構造を示す図であり、図３Ａ〜図３Ｄは、本発明による作動状態を説明するための図である。
【００１５】
図２に示すように、本発明による２液混合型流量調節弁構造は、固定ディスク１上に２液流出孔１０、１１を形成し、バルブディスク５には２液流出孔１０、１１を選択的に開放させるための２液バルブホール１２を形成する。
【００１６】
固定ディスク１には、１液が通過する第１〜第３の１液流出孔２、３、４が更に形成されており、第１の１液流出孔２と第３の１液流出孔４の内側に、円弧状に切開された２液流出孔１０、１１を、互いに対向するように形成する。
【００１７】
第１〜第３の１液流出孔２、３、４からは水が排出され、２液流出孔１０、１１からは必要によって空気または薬品類が排出される。
【００１８】
一方、バルブディスク５には、その外周縁に１液流出孔２、３、４を選択的に開放させるための１液バルブホール６が切り欠き形成されており、この１液バルブホール６の内側に半円弧状を為す２液バルブホール１２が形成される。
【００１９】
この時、２液バルブホール１２の円弧方向の長さは、固定ディスク１に形成されている２液流出孔１０、１１の円弧方向の長さより長くなるように形成されており、バルブディスク５が任意の位置に存在する際に、２液バルブホール１２の少なくとも一端が、２液流出孔１０、１１の少なくとも一部を開放するように構成される。
【００２０】
このように構成された本発明の作用及び効果について説明すれば、次のようである。
【００２１】
図３Ａに示される状態では、バルブディスク５が回転されて、１液バルブホール６が第２の１液流出孔３を開放すると共に、２液バルブホール１２の両端が２液流出孔１０、１１のそれぞれの一端を同時に開放することにより、１液は流出孔３を通じて排出され、２液は２つの２液流出孔１０、１１を通じて排出され、これにより１液と２液が混合されてビデ洗浄ノズル及び肛門洗浄ノズルに供給される。
【００２２】
図３Ａの状態からバルブディスク５が時計方向に所定角度回転されて図３Ｂに示される状態になると、１液バルブホール６が、第３の流出孔４の一端を開放すると共に、２液バルブホール１２が、第３の流出孔４の内側に形成されている２液流出孔１１を開放し、これにより１液と２液が混合供給される。
【００２３】
バルブディスク５が、図３Ｂの状態から更に回転されて図３Ｃに示される状態となっても、図３Ｂと同様に、１液と２液が混合供給される。
また、バルブディスク５が、図３Ｃの状態から更に回転されて図３Ｄに示される状態となっても、１液バルブホール６が、第１の１液流出孔２を開放させると共に、２液バルブホール１２が、２液流出孔１１を開放し、これにより１液と２液が混合供給される。
【図面の簡単な説明】
【００２４】
【図１Ａ】従来の温水洗浄機の流量調節弁構造を示す図である。
【図１Ｂ】従来の温水洗浄機の流量調節弁構造を示す図である。
【図１Ｃ】従来の温水洗浄機の流量調節弁構造を示す図である。
【図２】本発明による２液混合型流量調節弁構造を示す図である。
【図３Ａ】本発明による作動状態を説明するための図である。
【図３Ｂ】本発明による作動状態を説明するための図である。
【図３Ｃ】本発明による作動状態を説明するための図である。
【図３Ｄ】本発明による作動状態を説明するための図である。
【符号の説明】
【００２５】
１  固定ディスク
２，３，４  １液流出孔
５  バルブディスク
６  １液バルブホール
７  ストッパ
１０，１１  ２液流出孔
１２  ２液バルブホール
【図１Ａ】
2006170429.tif 000003
【図１Ｂ】
2006170429.tif 000004
【図１Ｃ】
2006170429.tif 000005
【図２】
2006170429.tif 000006
【図３Ａ】
2006170429.tif 000007
【図３Ｂ】
2006170429.tif 000008
【図３Ｃ】
2006170429.tif 000009
【図３Ｄ】
2006170429.tif 000010